(57)【要約】【課題】重機などを用いずに容易にロールの交換作業を行うことが可能な保持装置、記録装置および記録方法を提供する。【解決手段】記録前または記録後の記録媒体Ｐを保持する保持装置本体を備え、保持装置本体が記録媒体に対して記録を行う記録ユニットから着脱可能に構成された保持装置３０（４０）であって、保持装置本体に走行手段５５が設けられている。【選択図】図２
2010179564.tif 000002
【特許請求の範囲】
【請求項１】
記録前または記録後の記録媒体を保持する保持装置本体を備え、該保持装置本体が前記記録媒体に対して記録を行う記録ユニットから着脱可能に構成された保持装置であって、
前記保持装置本体に走行手段が設けられていることを特徴とする保持装置。
【請求項２】
前記記録ユニットおよび前記保持装置本体に位置決め可能な係合部が形成されていることを特徴とする請求項１に記載の保持装置。
【請求項３】
前記保持装置本体に操作部が設けられ、
該操作部により、ロール状に巻回された前記記録媒体の送り出しまたは巻き取りが自動または手動で行えるように切替え可能に構成されていることを特徴とする請求項１または２に記載の保持装置。
【請求項４】
前記保持装置本体が、前記記録媒体の両端にそれぞれ位置する一対の保持部と、該一対の保持部の間を連結する梁と、を備えていることを特徴とする請求項１〜３のいずれかに記載の保持装置。
【請求項５】
請求項１〜４のいずれかに記載の保持装置と、該保持装置に保持された記録媒体に対して記録を行う記録ユニットと、を備えた記録装置であって、
前記保持装置が、前記記録ユニットの給紙側および巻取側に設けられ、
前記記録ユニットが、前記記録媒体を搬送する搬送装置と、前記記録媒体に記録する記録ヘッドと、前記保持装置を制御する制御部と、を備えていることを特徴とする記録装置。
【請求項６】
記録媒体に対して記録を行う記録ユニットと、
記録前の記録媒体を保持するとともに、走行手段が設けられた給紙装置と、
記録後の記録媒体を保持するとともに、走行手段が設けられた巻取装置と、を備え、
前記給紙装置および前記巻取装置が、前記記録ユニットから着脱可能に構成された記録装置の記録方法において、
前記記録ユニットに第一給紙装置および第一巻取装置を取り付ける取付工程と、
前記第一給紙装置から前記記録ユニットに向かって前記記録前の記録媒体を送り出し、該記録媒体に記録を行う記録工程と、
前記記録後の記録媒体を前記第一巻取装置に巻き取る巻取工程と、を有し、
前記記録工程の最中に、記録前の記録媒体が保持された第二給紙装置および記録後の記録媒体を保持する第二巻取装置を準備する準備工程と、
前記第一巻取装置に巻回された前記記録媒体の記録終了後に、前記第一給紙装置および前記第一巻取装置を取り外すとともに、前記第二給紙装置および前記第二巻取装置を取り付ける交換工程と、を備えていることを特徴とする記録方法。
【請求項７】
記録媒体に対して記録を行う記録ユニットと、
記録前の記録媒体を保持するとともに、走行手段が設けられた給紙装置と、
記録後の記録媒体を保持するとともに、走行手段が設けられた巻取装置と、を備え、
前記給紙装置および前記巻取装置が、前記記録ユニットから着脱可能に構成された記録装置の記録方法において、
前記記録ユニットに給紙装置および巻取装置を取り付ける取付工程と、
前記給紙装置から前記記録ユニットに向かって前記記録前の記録媒体を送り出し、該記録媒体に記録を行う記録工程と、
前記記録後の記録媒体を前記巻取装置に巻き取る巻取工程と、を有し、
前記巻取装置に巻回された前記記録媒体の記録終了後に、前記給紙装置および前記巻取装置を取り外すとともに、該給紙装置を巻取側に、該巻取装置を給紙側に取り付ける入換工程と、を備えていることを特徴とする記録方法。
【発明の詳細な説明】
【技術分野】
【０００１】
本発明は、保持装置、記録装置および記録方法に関するものである。
【背景技術】
【０００２】
従来から、垂れ幕広告や看板などで、樹脂製のシートなどの記録媒体にインクを吐出して文字や画像などを記録する大型の記録装置、例えば大型のインクジェットプリンタなどがある。この種の記録装置では、記録媒体を紙管に巻装したロールを装置に装着し、これを記録媒体の送り出し方向に回転させて記録媒体をプラテン上の印刷部に供給するように構成されている。なお、紙管はダンボールや合成樹脂などからなる円筒であり、大きく撓むことなく、重量のあるロール状の記録媒体を保持することができる。また、一般に紙管と称されているが、紙製の管状部材に限られず、塩化ビニルなどの合成樹脂製の管状部材なども広く使用されている。
【０００３】
ここで、記録媒体が巻装されたロールは、例えば、幅が０．９ｍ〜２．５ｍのものがあり、自重は数十〜百キログラム程度になる。例えば、特許文献１に記載のインクジェットプリンタでは、記録媒体が巻装されたロールを用いるインクジェットプリンタの給紙装置および巻取装置は、一般的にインクジェットプリンタに固定されている。以下において、保持装置とは給紙装置および巻取装置を総称する。
【先行技術文献】
【特許文献】
【０００４】
【特許文献１】特開２００６−１４３３４７号公報
【発明の概要】
【発明が解決しようとする課題】
【０００５】
ところで、特許文献１のように給紙装置および巻取装置がインクジェットプリンタに一体となって固定されていると、例えば、給紙装置に取り付けられていたロールの記録媒体が無くなり、新しいロールに交換する際に、記録媒体が巻装された数十キログラム以上のロールを複数の作業者が運搬して交換したり、重機を用いて交換したりする必要がある。したがって、ロールの交換作業に手間や費用がかかることや、重機が動き回るスペースを確保する必要があるなどの問題がある。同様に、巻取装置に巻き取られたロール状の記録媒体を次工程の装置に運搬する際にもロールの交換作業に手間や費用がかかることや、重機が動き回るスペースを確保する必要がある。
【０００６】
そこで、本発明は、上記事情を鑑みてなされたものであり、重機などを用いずに容易に記録媒体の交換作業を行うことが可能な保持装置、記録装置および記録方法を提供するものである。
【課題を解決するための手段】
【０００７】
本発明は、前記課題を解決するために以下の手段を提供する。
【０００８】
本発明の保持装置は、記録前または記録後の記録媒体を保持する保持装置本体を備え、該保持装置本体が前記記録媒体に対して記録を行う記録ユニットから着脱可能に構成された保持装置であって、前記保持装置本体に走行手段が設けられていることを特徴としている。
【０００９】
この発明に係る保持装置においては、記録媒体を保持した状態で走行手段により移動させることができるため、記録前の記録媒体を保持した状態の保持装置を重機などを用いずに容易に記録ユニットにセットすることができるとともに、記録後の記録媒体を保持した状態の保持装置も同じく容易に記録ユニットから取り外して次工程などに搬送することができる。また、保持装置が走行手段により移動可能であるため、交換作業に複数の作業者を必要とせず、効率よく保持装置の交換作業を行うことができる。
【００１０】
本発明の保持装置は、前記記録ユニットおよび前記保持装置本体に位置決め可能な係合部が形成されていることを特徴としている。
【００１１】
この発明に係る保持装置においては、記録ユニットと保持装置とを所望の位置で容易に位置決めして配置することができる。したがって、容易に保持装置の交換作業を行うことができる。
【００１２】
本発明の保持装置は、前記保持装置本体に操作部が設けられ、該操作部により、ロール状に巻回された前記記録媒体の送り出しまたは巻き取りが自動または手動で行えるように切替え可能に構成されていることを特徴としている。
【００１３】
この発明に係る保持装置においては、操作部で操作することにより、例えば、保持装置を記録ユニットに取り付けた際には、手動で記録媒体を記録ユニットにセットすることができ、記録ユニットに記録媒体をセットした後は、自動で記録媒体を保持装置から送り出しまたは巻き取りすることにより確実に記録媒体に記録をすることができる。また、ロール状の記録媒体の回転方向を操作部で操作できるようにすることで、記録媒体の両面に対して容易に記録を行うことができる。
【００１４】
本発明の保持装置は、前記保持装置本体が、前記記録媒体の両端にそれぞれ位置する一対の保持部と、該一対の保持部の間を連結する梁と、を備えていることを特徴としている。
【００１５】
この発明に係る保持装置においては、保持装置本体の強度を向上することができるため、記録媒体の大きさに拘らず、記録媒体が保持された状態で容易に移動させることができる。したがって、容易に保持装置の交換作業を行うことができる。
【００１６】
本発明の記録装置は、上述のいずれかに記載の保持装置と、該保持装置に保持された記録媒体に対して記録を行う記録ユニットと、を備えた記録装置であって、前記保持装置が、前記記録ユニットの給紙側および巻取側に設けられ、前記記録ユニットが、前記記録媒体を搬送する搬送装置と、前記記録媒体に記録する記録ヘッドと、前記保持装置を制御する制御部と、を備えていることを特徴としている。
【００１７】
この発明に係る記録装置においては、所定位置に固定配置された記録ユニットと、記録ユニットに連結できるとともに、走行手段により移動が可能な保持装置と、を備えているため、保持装置を重機などを用いずに容易に交換することができる。したがって、記録前および記録後の記録媒体を保持した保持装置の交換作業を容易に行うことができ、記録媒体への記録効率を向上することができる。
【００１８】
本発明の記録方法は、記録媒体に対して記録を行う記録ユニットと、記録前の記録媒体を保持するとともに、走行手段が設けられた給紙装置と、記録後の記録媒体を保持するとともに、走行手段が設けられた巻取装置と、を備え、前記給紙装置および前記巻取装置が、前記記録ユニットから着脱可能に構成された記録装置の記録方法において、前記記録ユニットに第一給紙装置および第一巻取装置を取り付ける取付工程と、前記第一給紙装置から前記記録ユニットに向かって前記記録前の記録媒体を送り出し、該記録媒体に記録を行う記録工程と、前記記録後の記録媒体を前記第一巻取装置に巻き取る巻取工程と、を有し、前記記録工程の最中に、記録前の記録媒体が保持された第二給紙装置および記録後の記録媒体を保持する第二巻取装置を準備する準備工程と、前記第一巻取装置に巻回された前記記録媒体の記録終了後に、前記第一給紙装置および前記第一巻取装置を取り外すとともに、前記第二給紙装置および前記第二巻取装置を取り付ける交換工程と、を備えていることを特徴としている。
【００１９】
この発明に係る記録方法においては、記録ユニットに第一給紙装置および第一巻取装置を配置した状態で記録媒体に記録を行っている間に、第二給紙装置および第二巻取装置を予め準備して、第一給紙装置に巻回された記録媒体への記録が完了したら、即座に第二給紙装置および第二巻取装置へと交換することができる。したがって、記録媒体の交換作業の時間を短縮することができるため、記録装置の記録効率を向上することができる。
【００２０】
本発明の記録方法は、記録媒体に対して記録を行う記録ユニットと、記録前の記録媒体を保持するとともに、走行手段が設けられた給紙装置と、記録後の記録媒体を保持するとともに、走行手段が設けられた巻取装置と、を備え、前記給紙装置および前記巻取装置が、前記記録ユニットから着脱可能に構成された記録装置の記録方法において、前記記録ユニットに給紙装置および巻取装置を取り付ける取付工程と、前記給紙装置から前記記録ユニットに向かって前記記録前の記録媒体を送り出し、該記録媒体に記録を行う記録工程と、前記記録後の記録媒体を前記巻取装置に巻き取る巻取工程と、を有し、前記巻取装置に巻回された前記記録媒体の記録終了後に、前記給紙装置および前記巻取装置を取り外すとともに、該給紙装置を巻取側に、該巻取装置を給紙側に取り付ける入換工程と、を備えていることを特徴としている。
【００２１】
この発明に係る記録方法においては、記録ユニットに給紙装置および巻取装置を配置した状態で記録媒体に記録を行い、給紙装置に巻回された記録媒体への記録が完了したら、給紙装置と巻取装置とを入れ換えて、記録媒体の反対側の面への記録を行うことをできる。したがって、記録媒体へ両面記録する場合に、記録媒体の交換作業の時間を短縮することができるため、記録装置の記録効率を向上することができる。
【発明の効果】
【００２２】
本発明に係る保持装置によれば、記録媒体を保持した状態で走行手段により移動させることができるため、記録前の記録媒体を保持した状態の保持装置を重機などを用いずに容易に記録ユニットにセットすることができるとともに、記録後の記録媒体を保持した状態の保持装置も同じく容易に記録ユニットから取り外して次工程などに搬送することができる。また、保持装置が走行手段により移動可能であるため、交換作業に複数の作業者を必要とせず、効率よく保持装置の交換作業を行うことができる。
【図面の簡単な説明】
【００２３】
【図１】本発明の実施形態におけるインクジェットプリンタの概略構成図である。
【図２】本発明の実施形態における保持装置の斜視図である。
【図３】本発明の実施形態における保持装置の部分拡大図である。
【図４】本発明の実施形態におけるインクジェットプリンタのブロック図である。
【図５】本発明の実施形態におけるインクジェットプリンタの記録方法を示す説明図（１）である。
【図６】本発明の実施形態におけるインクジェットプリンタの記録方法を示す説明図（２）である。
【図７】本発明の実施形態におけるインクジェットプリンタの記録方法を示す説明図（３）である。
【図８】本発明の実施形態における保持装置の別の態様を示す斜視図である。
【発明を実施するための形態】
【００２４】
次に、本発明に係る記録装置の実施形態を図１〜図８に基づいて説明する。なお、本実施形態では、例えば０．９ｍ〜２．５ｍ程度の比較的広い幅を有する紙や合成樹脂などからなる記録媒体Ｐに対して記録を行うインクジェットプリンタ１０を用いて説明する。
【００２５】
図１に示すように、インクジェットプリンタ１０は、記録媒体Ｐに記録を行う記録ユニット１１と、記録ユニット１１により記録される記録媒体Ｐを保持・搬送する保持装置１３と、を備えている。
【００２６】
記録ユニット１１は、記録媒体Ｐにインク滴を吐出して記録を行う記録ヘッド１５と、記録媒体Ｐの搬送方向に直交する方向に記録ヘッド１５を走査させるキャリッジ部１７と、記録媒体Ｐに対して記録する箇所に配される略板状のプラテン１９と、記録媒体Ｐの記録開始位置を検出するセンサ群２１と、記録媒体Ｐを挟持して記録媒体Ｐを搬送する搬送装置であるローラ２３と、記録媒体Ｐのプレヒータ（不図示）が内蔵された給紙側ペーパガイド３２と、記録後の記録媒体Ｐを乾燥させるアフターヒータ（不図示）が内蔵された巻取側ペーパガイド３３と、を備えている。また、後述する給紙装置３０と給紙側ペーパガイド３２との間には記録媒体Ｐを給紙装置３０に取り付けられたロール体３１から引き出すためのローラ３４や、記録媒体Ｐにテンションをかけるためのテンションバー３５が適宜設けられている。同様に、後述する巻取装置４０と巻取側ペーパガイド３３との間にもテンションバー３５が適宜設けられている。
【００２７】
保持装置１３は、記録前の記録媒体Ｐが巻回されたロール体３１を保持する給紙装置３０と、記録後の記録媒体Ｐが巻回されるロール体４１を保持する巻取装置４０と、を備えている。
【００２８】
次に、本実施形態における給紙装置３０および巻取装置４０について説明する。なお、給紙装置３０と巻取装置４０は略同一の構成であるため、以下は給紙装置３０を用いて説明する。
【００２９】
図２、図３に示すように、給紙装置３０は、ロール状の記録媒体Ｐを保持する記録媒体保持部４５と、記録媒体保持部４５を両端から支持可能な一対の保持部４６，４６と、を備えている。記録媒体保持部４５は、両端にフランジ部４７，４７が設けられているとともに、フランジ部４７から突出された保持棒４８と、を備えている。ロール状の記録媒体Ｐは、中空筒状の紙管４９（図１参照）に巻回されており、紙管４９の両端に保持棒４８を挿入することで記録媒体Ｐを保持することができる。
【００３０】
フランジ部４７は、保持部４６に設けられた複数のコロ５１（本実施形態では、片側に３個）によって支持されており、コロ５１が回転することによってフランジ部４７も回転可能に構成されている。つまり、フランジ部４７が回転することによって、記録媒体Ｐが記録ユニット１１側へ送り出されるように構成されている。また、保持部４６の側面４６ａにはコロ５１を駆動させるための操作部５２が設けられている。操作部５２には、例えば、コロ５１を右回りさせるスイッチおよび左回りさせるスイッチが配されており、いずれかのスイッチを選択することにより操作部５２内に配された駆動モータが駆動してコロ５１を所望の方向へ回転させるように構成されている。なお、操作部５２によってユーザーが手動でコロ５１を制御するか、記録ユニット１１などの外部機器によって制御するかをスイッチの切替えによって選択できる。また、操作部５２は一方の保持部４６にのみ設けられている。また、一対の保持部４６，４６および操作部５２により保持装置本体を構成している。
【００３１】
また、保持部４６の下面４６ｂにはキャスター５５が設けられている。保持部４６はキャスター５５により作業床面を自在に移動できるようになっている。さらに、保持部４６の正面４６ｃおよび背面４６ｄには、それぞれの面に対して略垂直方向に突出した突起５７が形成されている。突起５７は、記録ユニット１１に形成された挿入穴（不図示）に挿入可能になっており、突起５７を挿入穴に挿入することで、記録ユニット１１と給紙装置３０との位置決めを行うことができる。つまり、保持装置本体にキャスター５５および突起５７が設けられている。
【００３２】
なお、図２、図３では、保持部４６の下面４６ｂにキャスター５５を取り付けた場合について図示したが、保持部４６をさらに安定して支持する板状の支持部材を保持部４６の下面４６ｂに設け、該支持部材にキャスター５５を設ける構成にしてもよい。
【００３３】
次に、本実施形態におけるインクジェットプリンタ１０のブロック図について説明する。
【００３４】
図４に示すように、記録ユニット１１内には、制御部６１が設けられている。制御部６１は、ＣＰＵからなる主制御回路６２と、ＲＯＭ６３と、を備え、主制御回路６２はＲＯＭ６３に記録されているプログラムにしたがって装置全体の制御を行うように構成されている。また、制御部６１には、各種データの一次記憶場所に使用したり、主制御回路６２のワークエリアとして使用したりするＲＡＭ６４と、ホストコンピュータであるホストＰＣ６５と接続可能なインターフェース回路６６と、をさらに備えている。また、主制御回路６２には、記録媒体Ｐに記録する画像データを記憶する記録画像メモリ７１と、各種設定などの操作をする操作パネル７２と、搬送ローラ２３を駆動させる搬送ローラ駆動回路７３と、キャリッジ部１７を駆動させるキャリッジ駆動回路７４と、記録する記録媒体Ｐの先頭部分を検出するための記録媒体先頭検出センサ７５と、記録する記録媒体Ｐの幅を検出する記録媒体幅検出センサ７６と、記録媒体Ｐが取り付けられた給紙装置３０が所定位置に配されているかを検出する装着センサ７７と、が接続されている。
【００３５】
また、主制御回路６２と給紙装置３０とはコネクタ７８を介して接続されている。給紙装置３０には、第１ローラ８５（コロ５１）を駆動させる第１モータ８１の駆動を制御する第１モータ制御回路８２が設けられている。また、第１モータ制御回路８２には、第１操作パネル８３（操作部５２）が接続されており、第１モータ８１を手動にて駆動できるようになっている。また、第１モータ制御回路８２には、第１伝達切替機構８４が接続されており、給紙側に接続された場合には、伝達切替機構により第１モータ８１の駆動力が伝達されないように構成され、第１ローラ８５（コロ５１）はフリーな状態で回転できるようになっている。そして、第１モータ制御回路８２は、主制御回路６２に接続されており、主制御回路６２が第１モータ制御回路８２を制御するように構成されている。なお、主制御回路６２と第１モータ制御回路８２とが接続されている場合には、第１モータ制御回路８２は主制御回路６２により自動制御され、第１ローラ８５の駆動も自動でコントロールされることとなるが、操作パネル８３により手動に切替えることで、第１ローラ８５をフリーな状態で回転させることができるようになる。つまり、給紙装置３０を記録ユニット１１に取り付けた後、記録開始前に記録媒体Ｐの送り出しを手動で行い、記録ユニット１１の所望の位置に記録媒体Ｐを配置することができる。
【００３６】
さらに、主制御回路６２と巻取装置４０とはコネクタ７９を介して接続されている。巻取装置４０は、給紙装置３０と略同一の構成であるため、同様に、第２ローラ９０（コロ５１）を駆動させる第２モータ８６の駆動を制御する第２モータ制御回路８７が設けられている。また、第２モータ制御回路８７には、第２操作パネル８８（操作部５２）が接続されており、第２モータ８６を手動にて駆動できるようになっている。また、第２モータ制御回路８７には、第２伝達切替機構８９が接続されており、巻取側に接続された場合には、伝達切替機構、例えばクラッチなど、により第２モータ８６の駆動力が伝達されるように構成され、第２ローラ９０（コロ５１）は所望の方向に回転駆動できるようになっている。そして、第２モータ制御回路８７は、主制御回路６２に接続されており、主制御回路６２が第２モータ制御回路８７を制御するように構成されている。なお、主制御回路６２と第２モータ制御回路８７とが接続されている場合には、第２モータ制御回路８７は主制御回路６２により自動制御され、第２ローラ９０の駆動も自動でコントロールされることとなるが、操作パネル８８により手動に切替えることで、第２ローラ９０をフリーな状態で回転させることができるようになる。つまり、巻取装置４０を記録ユニット１１に取り付けた後、記録開始前に記録媒体Ｐの巻き取りを手動で行い、記録ユニット１１の所望の位置に記録媒体Ｐを配置することができる。
【００３７】
次に、本実施形態のインクジェットプリンタ１０の記録方法について説明する。
【００３８】
記録前の記録媒体Ｐが巻回されたロール体３１がセットされた給紙装置３０を記録ユニット１１に連結するとともに、記録後の記録媒体Ｐを巻回するロール体４１がセットされた巻取装置４０を連結する。なお、このとき給紙装置３０および巻取装置４０に形成された突起５７を記録ユニット１１に形成された係合穴に挿入するようにして位置決めする。また、記録ユニット１１の主制御回路６２と、給紙装置３０および巻取装置４０の各制御回路８２，８７とをコネクタ７８，７９にて接続する。
【００３９】
記録を開始すると、給紙装置３０から送り出された記録媒体Ｐは、記録ユニット１１で記録された後、巻取装置４０にロール状に巻き取られる。
【００４０】
図５に示すように、記録ユニット１１で記録している最中に、次に使用する給紙装置３０Ａおよび巻取装置４０Ａを準備して、給紙装置３０および巻取装置４０の直近に配置しておく。なお、給紙装置３０Ａには記録前の記録媒体Ｐがセットされている。
【００４１】
給紙装置３０に配されていた記録媒体Ｐの記録が全て完了し、巻取装置４０に巻き取られた時点で記録を一旦終了する。
【００４２】
ここで、使用終了した給紙装置３０および巻取装置４０を記録ユニット１１から離間させるようにして取り外す。このとき、給紙装置３０および巻取装置４０にはキャスター５５が設けられているため、容易に移動させることができる。給紙装置３０および巻取装置４０を移動させたら、次に使用する給紙装置３０Ａおよび巻取装置４０Ａを記録ユニット１１に上述と同様にセットして、記録を開始する。このように構成することで、記録効率を向上することができる。
【００４３】
また、インクジェットプリンタ１０の別の記録方法について説明する。
【００４４】
記録前の記録媒体Ｐが巻回されたロール体３１がセットされた給紙装置３０を記録ユニット１１に連結するとともに、記録後の記録媒体Ｐを巻回するロール体４１がセットされた巻取装置４０を連結する。
【００４５】
記録を開始すると、給紙装置３０から送り出された記録媒体Ｐは、記録ユニット１１で記録された後、巻取装置４０にロール状に巻き取られる。
【００４６】
給紙装置３０に配されていた記録媒体Ｐの記録が全て完了し、巻取装置４０に巻き取られた時点で記録を一旦終了する。
【００４７】
ここで、図６に示すように、記録媒体Ｐが無くなった給紙装置３０および記録後の記録媒体Ｐが巻き取られた巻取装置４０を記録ユニット１１から離間させるようにして取り外す。このとき、給紙装置３０および巻取装置４０にはキャスター５５が設けられているため、容易に移動させることができる。そして、記録後の記録媒体Ｐが巻き取られた巻取装置４０を記録ユニット１１の給紙側に連結し、給紙装置３０を記録ユニット１１の巻取側に連結する。つまり、給紙装置３０と巻取装置４０とを入れ換える。そして、記録を開始することで、記録媒体Ｐの裏面に続けて記録することができる。
【００４８】
また、インクジェットプリンタ１０のさらに別の記録方法について説明する。
【００４９】
記録前の記録媒体Ｐが巻回されたロール体３１がセットされた給紙装置３０を記録ユニット１１に連結するとともに、記録後の記録媒体Ｐを巻回するロール体４１がセットされた巻取装置４０を連結する。
【００５０】
記録を開始すると、給紙装置３０から送り出された記録媒体Ｐは、記録ユニット１１で記録された後、巻取装置４０にロール状に巻き取られる。
【００５１】
給紙装置３０に配されていた記録媒体Ｐの記録が全て完了し、巻取装置４０に巻き取られた時点で記録を一旦終了する。
【００５２】
ここで、図７に示すように、記録後の記録媒体Ｐが巻回された巻取装置４０を記録ユニット１１から離間させるようにして取り外す。このとき、巻取装置４０にはキャスター５５が設けられているため、容易に移動させることができる。そして、巻取装置４０を別の工程（乾燥工程、コーティング工程、切断工程など）に用いる装置９１の給紙側に連結する。このとき装置９１の巻取側には別の巻取装置９２を連結しておく。このようにすることで、記録された記録媒体Ｐの次工程を、時間を空けずに行うことができ、記録効率を向上することができる。
【００５３】
次に、インクジェットプリンタ１０を用いて両面印刷する方法について説明する。
【００５４】
まず、給紙装置３０および巻取装置４０を記録ユニット１１にセットし、給紙装置３０を従動状態（上述のフリーな状態）にし、巻取装置４０を駆動状態（上述の駆動力が伝達される状態）にして、記録を行う。具体的には、記録ユニット１１に対して給紙装置３０および巻取装置４０を位置合わせして固定するとともに、コネクタ７８，７９をそれぞれ接続する。コネクタ７８，７９を接続した後、給紙装置３０の第１ローラ８５が従動となるように第１伝達切替機構８４を切り替える制御を行うとともに、巻取装置４０の第２ローラを駆動制御できるように、第２伝達切替機構を切り替える制御を行う。これにより、記録媒体Ｐを巻き取り制御することができる。
【００５５】
記録ユニット１１に給紙装置３０が所定位置に固定されていることを装着センサ７７によって検知し、装着センサ７７は検知した結果を検出信号として主制御回路６２へ出力する。主制御回路６２は、給紙装置３０が記録ユニット１１の所定位置に固定されたことを示す信号を入力する場合は、給紙装置３０に対して第１モータ制御回路８２を制御する。すなわち、主制御回路６２によって第１モータ制御回路８２を制御し、第１伝達切替機構８４に対して第１モータ８１の駆動力を第１ローラ８５へ伝達しないように切替える。主制御回路６２は、給紙装置３０が記録ユニット１１の所定位置に固定されたことを示す信号が入力されない場合は、給紙装置３０に対して、コネクタ７８によって接続されていても、第１モータ制御回路８２を制御しない。
【００５６】
なお、装着センサ７７は給紙装置３０と巻取装置４０の両方を検出することができ、例えば光源からの光を放射し、装置が接続されると半透過するフィルタを用い、給紙装置３０用と巻取装置４０用のフィルタの透過率を異ならせておくと、片方あるいは両方を透過すると光検出センサがそれぞれ異なる出力値を出力するため、この出力値によって判別する方法がある。また、給紙装置３０と巻取装置４０の両者にそれぞれセンサを配置することもできる。
【００５７】
記録ユニット１１に巻取装置４０が所定位置に固定されていることを装着センサ７７によって検知し、装着センサ７７は検知した結果を検出信号として主制御回路６２へ出力する。主制御回路６２は、巻取装置４０が記録ユニット１１の所定位置に固定されたことを示す信号を入力する場合は、巻取装置４０に対して第２モータ制御回路８７を制御する。すなわち、主制御回路６２によって第２モータ制御回路８７を制御し、第２伝達切替機構８９に対して第２モータ８６の駆動力を第２ローラ９０へ伝達するように切替える。さらに、巻取装置４０は、記録ユニット１１による記録媒体Ｐの搬送制御に連動するように記録媒体Ｐの巻取制御を主制御回路６２が行う。
【００５８】
主制御回路６２は、巻取装置４０が記録ユニット１１の所定位置に固定されたことを示す信号が入力されない場合は、巻取装置４０に対して、コネクタ７９によって接続されていても、第２モータ制御回路８７を制御しない。
【００５９】
記録媒体Ｐを給紙装置３０から引き出し、引き出した記録媒体Ｐをインクジェットプリンタ１０の記録媒体Ｐの搬送経路に沿って這わせる。記録媒体Ｐの先頭が巻取装置４０まで到達したら、巻取装置４０の紙管に固定する。これで、記録媒体Ｐのセットが完了する。
【００６０】
記録媒体Ｐがセットされたら、記録画像メモリ７１に記憶されている画像を記録する。その際に、センサ群２１に配された記録媒体幅検出センサ７６により記録媒体Ｐの幅を検出し、記録媒体Ｐの所望の位置に先頭マーカー、画像、後端マーカーを記録する。なお、先頭マーカーおよび後端マーカーは、例えば、画像に対して所定間隔空けた位置に記録された線分で構成されている。
【００６１】
記録媒体Ｐへの記録が完了したら、記録ユニット１１から巻取装置４０を取り外す。なお、記録媒体Ｐを全て使い終わっていない場合は、手動で記録媒体Ｐを巻き取るか、記録媒体Ｐを切断するかなどした後、記録ユニット１１から巻取装置４０を取り外す。また、略同時に給紙装置３０も記録ユニット１１から取り外す。
【００６２】
次に、取り外した巻取装置４０を給紙側に移動するとともに、別の巻取装置を巻取側にセットする。なお、セットの仕方は上述と略同一である。
【００６３】
記録媒体Ｐの両面印刷する表面と裏面との画像の位置を合わせるため記録媒体Ｐを搬送させて、センサ群２１に配された記録媒体先頭検出センサ７５によって先頭マーカーを検出する。そして、記録媒体Ｐの裏面に、表面と対応する位置に記録を開始する。
【００６４】
画像の記録方向については、巻取装置４０を取り外した後、給紙側に取り付けるまでの間に記録媒体Ｐを巻きなおした場合は、先頭マーカーを検出することで、表面に合わせて裏面の先頭から記録する。巻きなおしていない場合は、センサ群２１に配された記録媒体先頭検出センサ７５によって後端マーカーを検出して、表面に合わせて裏面の終わりから記録すればよい。
【００６５】
なお、マーカーと画像の距離は予め決められた距離にしておく。先頭マーカー側から記録するか、後端マーカー側から記録するかは選択することができる。先頭マーカー側から記録する場合は、先頭マーカーから予め決められた距離を搬送してから記録を開始する。後端マーカー側から記録する場合は、記録する画像のデータを変換した後、後端マーカーから予め決められた距離を搬送してから記録を開始する。このようにすることで、記録媒体Ｐの表裏面の決められた位置に両面印刷を行うことができる。
【００６６】
本実施形態の給紙装置３０および巻取装置４０は、記録媒体Ｐを保持した状態でキャスター５５により移動させることができるため、重機などを用いずに容易に記録ユニット１１にセットすることができるとともに、記録後の記録媒体Ｐを保持した状態でも同じく容易に記録ユニット１１から取り外して次工程などに搬送することができる。また、給紙装置３０および巻取装置４０はキャスター５５により移動可能であるため、交換作業に複数の作業者を必要とせず、効率よく交換作業を行うことができる。
【００６７】
また、給紙装置３０および巻取装置４０に突起５７を形成し、記録ユニット１１に突起５７が挿入される挿入穴を形成することで、記録ユニット１１と給紙装置３０および巻取装置４０とを所望の位置で容易に位置決めして配置することができる。したがって、容易に給紙装置３０および巻取装置４０の交換作業を行うことができる。
【００６８】
また、給紙装置３０および巻取装置４０に操作部５２を設け、操作部５２により第１ローラ８５または第２ローラ９０の駆動を自動・手動を切替えられるようにしたため、例えば、給紙装置３０を記録ユニット１１に取り付けた際には、手動で記録媒体Ｐを送り出しすることができ、巻取装置４０を記録ユニット１１に取り付けた際には、手動で記録媒体Ｐを巻き取ることができる。したがって、記録開始前に記録媒体Ｐを所望の位置に手動でセットすることができ、確実に記録媒体Ｐに記録をすることができる。また、ロール状の記録媒体Ｐの回転方向を操作部５２で操作できるようにすることで、記録媒体Ｐの両面に対して容易に記録を行うことができる。
【００６９】
さらに、インクジェットプリンタ１０は、上述した給紙装置３０および巻取装置４０と、記録媒体Ｐに対して記録を行う記録ユニット１１と、を備えているため、記録前および記録後の記録媒体Ｐを保持した給紙装置３０および巻取装置４０の交換作業を容易に行うことができ、記録媒体Ｐへの印刷効率を向上することができる。
【００７０】
尚、本発明は、上述した実施形態に限られるものではなく、本発明の趣旨を逸脱しない範囲において、上述した実施形態に種々の変更を加えたものを含む。すなわち、実施形態で挙げた具体的な構造や構成などはほんの一例に過ぎず、適宜変更が可能である。
【００７１】
例えば、本実施形態において、給紙装置３０および巻取装置４０に突起を形成し、記録ユニットと位置決めできるように構成したが、位置決め方法はそれに限らず、例えば、ボルト・ナットで位置決めできるように構成してもよい。
【００７２】
また、図８に示すように、給紙装置および巻取装置は、テンションバー３５を一体化した構成にしてもよい。さらに、給紙装置および巻取装置の強度を確保するために、一対の保持部４６，４６間を連結する梁５８を設けてもよい。
【符号の説明】
【００７３】
１０…インクジェットプリンタ  １１…記録ユニット  １３…保持装置  ３０…給紙装置  ４０…巻取装置  ４６…保持部  ５２…操作部  ５５…キャスター  ５７…突起  ５８…梁  ６１…制御部  Ｐ…記録媒体
【図１】
2010179564.tif 000003
【図２】
2010179564.tif 000004
【図３】
2010179564.tif 000005
【図４】
2010179564.tif 000006
【図５】
2010179564.tif 000007
【図６】
2010179564.tif 000008
【図７】
2010179564.tif 000009
【図８】
2010179564.tif 000010